(57)【要約】【課題】異材の取付けや材質選択等の手間を要することなく適度な張力を防煙用シート体に付与することができる。【解決手段】巻取り機構には防煙用シート体の一端が巻き取られる巻取り軸５が設けられ、当該巻取り軸５にはウォームホイール６が一体に設けられるとともに、ウォームホイール６に噛合するウォームギア７が設けられ、ウォームギア７は当該ウォームギアの回転軸７１にこれに沿って移動可能に支持され、かつウォームホイール６の回転拘束時に回転軸７１の巻取り方向への回転に伴い当該回転軸７の軸方向へ移動させられるウォームギア７を、その移動方向とは反対方向へ付勢する皿バネ７２を設ける。【選択図】  図３
2015213584.tif 000002
【特許請求の範囲】
【請求項１】
天井面下の一端に設けた巻取り機構から防煙用シート体が天井面に対し略垂直姿勢で延ばされ、前記防煙用シート体の先端が前記天井面下の他端に設けた固定部材に固定されて、前記天井面下を一端から他端へ延びる防煙垂れ壁が形成される防煙垂れ壁装置において、前記巻取り機構には前記防煙用シート体の基端が巻き取られる巻取り軸が設けられ、当該巻取り軸にはウォームホイールが一体に設けられるとともに、前記ウォームホイールに噛合するウォームギアが設けられ、前記ウォームギアは当該ウォームギアの回転軸にこれに沿って移動可能に支持され、かつ前記ウォームホイールの回転拘束時に前記回転軸の巻取り方向への回転に伴い当該回転軸の軸方向へ移動させられる前記ウォームギアを、その移動方向とは反対方向へ付勢する弾性部材を設けた防煙垂れ壁装置の巻取り機構。
【請求項２】
前記回転軸にはこれを前記巻取り方向へ回転させる操作部が設けられている請求項１に記載の防煙垂れ壁装置の巻取り機構。
【請求項３】
前記弾性部材は前記回転軸を支持するブラケットと前記ウォームギアとの間の前記回転軸周りに配設されている請求項１又は２に記載の防煙垂れ壁装置の巻取り機構。
【請求項４】
前記巻取り軸は軸方向へ延びる長尺箱状の内側ケーシングに回動可能に支持されており、前記内側ケーシングは長手方向の中央で軸体によって傾動可能に外側ケーシングに支持されている請求項１ないし３のいずれかに記載の防煙垂れ壁装置の巻取り機構。
【発明の詳細な説明】
【技術分野】
【０００１】
本発明は防煙垂れ壁装置の巻取り機構に関し、特に、防煙用シート体を天井下に張設することによって防煙垂れ壁を形成するようにした防煙垂れ壁装置の、上記シート体の巻取り機構の構造改良に関するものである。
【背景技術】
【０００２】
この種の防煙垂れ壁装置が特許文献１に示されている。ここでは、天井面に垂直にボックスとこれと間隔をおいて枠体とを設け、ボックス内に設けたシート材巻体からシート材を天井下に引き出してその先端を枠体に固定することによって防煙垂れ壁を形成している。そして、シート材に弛みが発生するのを防止するために、シート材の先端と枠体との間にゴム板等の弾性体を取り付けてシート材に適度な張力を付与するようにしている。
【先行技術文献】
【特許文献】
【０００３】
【特許文献１】特開２００７−２９１０９
【発明の概要】
【発明が解決しようとする課題】
【０００４】
しかし上記従来の防煙垂れ壁装置では、ガラス繊維強化樹脂製のシート材に、これと異質なゴム板等の弾性体を取り付ける必要があるため取付けに手間取るという問題があるとともに、適度な張力を発揮する弾性体の材質や厚さ形状等の選択にも手間を要するという問題がある。
【０００５】
そこで、本発明はこのような課題を解決するもので、異材の取付けや材質選択等の手間を要することなく適度な張力を防煙用シート体に付与することができる防煙垂れ壁装置の巻取り機構を提供することを目的とする。
【課題を解決するための手段】
【０００６】
上記目的を達成するために、本第１発明では、天井面下の一端に設けた巻取り機構から防煙用シート体が天井面に対し略垂直姿勢で延ばされ、前記防煙用シート体の先端が前記天井面下の他端に設けた固定部材に固定されて、前記天井面下を一端から他端へ延びる防煙垂れ壁が形成される防煙垂れ壁装置において、前記巻取り機構には前記防煙用シート体（Ｓ）の基端が巻き取られる巻取り軸（５）が設けられ、当該巻取り軸（５）にはウォームホイール（６）が一体に設けられるとともに、前記ウォームホイール（６）に噛合するウォームギア（７）が設けられ、前記ウォームギア（７）は当該ウォームギアの回転軸（７１）にこれに沿って移動可能に支持され、かつ前記ウォームホイール（６）の回転拘束時に前記回転軸（７１）の巻取り方向への回転に伴い当該回転軸（７１）の軸方向へ移動させられる前記ウォームギア（７）を、その移動方向とは反対方向へ付勢する弾性部材（７２）を設ける。
【０００７】
本第１発明において、回転軸を回転させてこれに設けられたウォームギアを介してウォームホイールを、防煙用シート体を巻取る方向へ回転させて、防煙用シート体の弛みを解消する。さらにウォームギアを回転させると、ウォームホイールは、弛みなく張られた防煙用シート体によってその回転を拘束されているから、ウォームギアが回転軸に沿って移動し、弾性部材からその移動方向とは反対方向の付勢力を受ける。この付勢力はウォームホイールに伝達してこれを、防煙用シート体を巻取る方向へ回転付勢する。これにより、防煙用シート体が熱膨張や経年変化等で延びた場合にもその弛みの発生が効果的に防止される。本第１発明によれば、防煙用シート体に異質な弾性体を取付ける手間や弾性体の材質の選択等の手間を要することなく適度な張力を防煙用シート体に付与して弛みの発生を防止することができる。
【０００８】
本第２発明では、前記回転軸（７１）にはこれを前記巻取り方向へ回転させる操作部（７１１）が設けられている。
【０００９】
本第２発明によれば、回転軸の回転操作を円滑かつ容易に行うことができる。
【００１０】
本第３発明では、前記弾性部材（７２）は前記回転軸（７１）を支持するブラケット（８）と前記ウォームギア（７）との間の前記回転軸（７１）周りに配設されている。
【００１１】
本第３発明によれば、弾性部材をコンパクトに設置することができる。
【００１２】
本第４発明では、前記巻取り軸（５）は軸方向へ延びる長尺箱状の内側ケーシング（２）に回動可能に支持されており、前記内側ケーシング（２）は長手方向の中央で軸体（３）によって傾動可能に外側ケーシング（１）に支持されている。
【００１３】
本第４発明においては、外側ケーシングを壁面等に固定した後、これに対する内側ケーシングの傾動角度を調整して当該内側ケーシングが正確に鉛直姿勢となるように調整することができる。
【００１４】
上記カッコ内の符号は、後述する実施形態に記載の具体的手段との対応関係を示すものである。
【発明の効果】
【００１５】
以上のように、本発明の防煙垂れ壁装置の巻取り機構によれば、異材の取付けや材質選択等の手間を要することなく適度な張力を防煙用シート体に付与してその弛みの発生を未然に防止することができる。
【図面の簡単な説明】
【００１６】
【図１】巻取り機構のカバー体を除いた全体側面図である。
【図２】巻取り機構のカバー体を除いた全体正面図である。
【図３】巻取りウォームギア機構の部分断面平面図である。
【発明を実施するための形態】
【００１７】
なお、以下に説明する実施形態はあくまで一例であり、本発明の要旨を逸脱しない範囲で当業者が行う種々の設計的改良も本発明の範囲に含まれる。
【００１８】
図１には防煙垂れ壁装置の巻取り機構の側面図を示し、図２にはその正面図を示す。巻取り機構は、開放された長尺箱状の外側ケーシング１を備えている。当該外側ケーシング１は図１における上端が天井面に近接して略垂直姿勢で位置させられ、長手方向の側面複数個所（本実施形態では５箇所）がネジ部材１１によって、天井面に近い壁面等に固定される。
【００１９】
外側ケーシング１内には同形の長尺箱状の内側ケーシング２が配設されている。内側ケーシング２の長手方向中央位置には軸体３が貫設されており、軸体３の両端は外側ケーシング１に固定されている。これにより、内側ケーシング２は軸体３に支持されこれを中心に一定角度範囲で傾動可能となっている。内側ケーシング２の上下半部にはそれぞれ、側面を貫通して外側ケーシング１の側面に向けて傾動用ボルト４が設置されており、両傾動ボルト４の先端進出量を調整することによって、外側ケーシング１の側面に対して内側ケーシング２の傾動角度を適当に調整することができる。したがって、外側ケーシング１を壁面等に固定した後、これに対する内側ケーシング２の傾動角度を調整して当該内側ケーシング２が正確に鉛直姿勢となるように調整することができる。
【００２０】
内側ケーシング２の上下端は外側ケーシング１外へ大きく突出してブラケット部２１，２２となっており、上下の各ブラケット部２１，２２の取付穴２１１，２２１には巻取り軸５の上下端の小径部５１，５２がそれぞれ回転可能かつ着脱可能に挿入されている。巻取り軸５の大径本体部５３に対して段付きに小径となった下端部５４の外周には全周にウォームホイール６が形成されている。そしてこのウォームホイール６の外周歯形に、内側ケーシング２の下端部内に配設されたウォームギヤ７の外周歯形が噛合している。
【００２１】
ウォームギア７の回転軸７１は巻取り軸５に対し直交する方向へ配設されて、内側ケーシング２の下端部内に設けたブラケット８の側壁８１，８２間に架設されている（図３）。回転軸７１は両端部がブラケット８１，８２の貫通穴８１１，８２１内に回転可能かつ軸方向へ摺動移動可能に装着されており、回転軸７１の両端面には六角凸部７１１が形成されて操作部となっている。
【００２２】
そして、ウォームギヤ７とブラケット８の一方の側壁８１との間の回転軸７１の外周には、弾性部材としての皿バネ７２が複数枚設けられて、そのバネ力によってウォームギア７は全体がブラケット８の他方の側壁８２の方向へ付勢されている。なお、巻取り機構は全体が図１、図２の鎖線で示すカバー体９によって覆われている。
【００２３】
このような構造の巻取り機構を使用して防煙用垂れ壁を形成する場合には、一対の巻取り機構と、防煙用シート体として例えば巻取り軸５の本体部５３の長さ程度の幅で必要長（例えば１０ｍ）のガラス繊維入り樹脂シートを用意する。そして、各巻取り機構の外側ケーシング１を内側ケーシング２と共に天井面下の一方の側壁面と他方の側壁面にそれぞれ固定する。
【００２４】
一方、樹脂シートの一端を、一方の巻取り機構の内側ケーシング２から分離した巻取り軸５の本体部５３の外周に両面テープ等で固着するとともに、樹脂シートの他端を、他方の巻取り機構の内側ケーシング２から分離した巻取り軸５の本体部５３の外周に両面テープ等で固着する。
【００２５】
その後、防煙用シート体の端部がそれぞれ固着された巻取り軸５を、再び一方と他方の巻取り機構の内側ケーシング２のブラケット部２１，２２に装着する。この状態では防煙用シート体には未だ大きな弛みが生じている。
【００２６】
そこで、いずれか一方の巻取り機構の回転軸７１端面の六角凸部７１１にレンチ等を嵌合させてウォームギア７を回転させ、ウォームホイール６を、防煙用シート体Ｓを巻取る方向（図３の矢印方向）へ回転させる。これにより、巻取り軸５の本体部５４外周に防煙用シート体Ｓの一方の端部が巻き取られて弛みが解消され、当該防煙用シートＳは弛みなく張られた状態になる。この後、各巻取り機構をカバー体９で覆う。この際、防煙用シート体は、カバー体９に形成されている縦長のスリット開口９１（図２）から外方へ引き出される。
【００２７】
本実施形態では、防煙用シートＳの他端側が固着されている巻取り機構の巻取り軸５は単なる固定部材として機能している。したがって、防煙用シートＳの他端側では巻取り機構を使用せず、単なるシート固定用の固定部材を使用するようにしても良い。
【００２８】
この状態からさらにウォームギア７を回転させると、ウォームホイール６は、弛みなく張られた防煙用シート体Ｓによってその回転を拘束されているから、ウォームギア７が回転軸７１に沿って皿バネ７２を圧縮しつつ移動する（図３の矢印）。これによって、ウォームギア７には上記移動方向とは反対の、皿バネ７２の原形復帰バネ力が印加する。原型復帰バネ力はウォームホイール６に伝達してこれを防煙用シート体Ｓの巻取り方向（図３の矢印）へ回転付勢する。これにより、防煙用シート体Ｓに張力が付与されて熱膨張や経年変化等で延びた場合にも弛みの発生が効果的に防止される。なお、ウォームギアの移動量を調整することによって防煙用シート体の張力を最適に設定することができる。また、弾性部材としては皿バネに代えてコイルバネ等のバネ部材を使用することができ、さらにはバネ部材に代えてゴム材等を使用することができる。
【符号の説明】
【００２９】
１…外側ケーシング、２…内側ケーシング、３…軸体、４…傾動ボルト、５…巻取り軸、６…ウォームホイール、７…ウォームギア、７１…回転軸、７１１…六角凸部（操作部）、７２…皿バネ（弾性部材）、８…ブラケット、８１…側壁、Ｓ…防煙用シート体。
【図１】
2015213584.tif 000003
【図２】
2015213584.tif 000004
【図３】
2015213584.tif 000005